(57)【要約】【課題】使用者が毎回設定を行う必要なく子供の誤操作、いたずらを防止できる誘導加熱調理器を提供すること。【解決手段】人体の身長を検知し、身長が一定以下である場合に操作手段の操作を無効とする操作ロック手段を備えることで、使用者が毎回設定を行う必要なく子供の誤操作、いたずらを防止できる誘導加熱調理器を提供することとなる。【選択図】図１
2010113973.tif 000002
【特許請求の範囲】
【請求項１】
外郭を構成する本体と、前記本体の上面に配置され調理容器を載置するトッププレートと、前記トッププレートの下方に配置され前記調理容器を加熱する加熱コイルと、前記加熱コイルに高周波電流を供給するインバーター回路と、前記インバーター回路の出力を制御する制御手段と、前記インバーター回路の出力レベルを変更するための操作手段と、現在の出力レベルを表示する表示手段と、人体の身長を検知する身長検知手段と、前記身長検知手段の検知結果が所定値未満である場合に、前記操作手段の操作を無効とする操作ロック手段を備えた誘導加熱調理器。
【請求項２】
身長検知手段は本体前面に配置された赤外線センサにより構成し、床面から所定高さ以上の人体による赤外線により反応する構成とした請求項１に記載の誘導加熱調理器。
【請求項３】
身長検知手段は床面に対して略垂直に配置され本体前面に配置された複数の赤外線センサにより構成し、床面からの所定高さ以上の人体による赤外線により反応する赤外線センサａと、床面からの所定高さ未満の人体による赤外線により反応する赤外線センサｂを有する請求項１に記載の誘導加熱調理器。
【請求項４】
身長検知手段は床面に対して略垂直に配置され本体前面に配置された複数の赤外線センサにより構成し、床面から数えて何個目までが人体による赤外線に反応しているかに応じて身長を検知する構成とした請求項１に記載の誘導加熱調理器。
【請求項５】
身長検知手段を複数備え、少なくとも誘導加熱調理器本体の左右に身長検知手段を備えた請求項１〜４に記載の誘導加熱調理器。
【請求項６】
音声による報知手段を備え、身長が所定値未満の人体が近づき、操作手段が操作を検知すると身長が所定値に満たないため操作できない旨を音声により報知を行なう請求項１〜５のいずれか１項に記載の誘導加熱調理器。
【請求項７】
魚などを加熱調理するロースターを備え、前記ロースターを加熱中に身長検知手段により、所定高さ未満の人体を検知するとロースター扉が高温のため危険であることを報知手段により報知する請求項２〜６のいずれか１項に記載の誘導加熱調理器。
【請求項８】
トッププレートの温度を検知する温度検知手段を備え、前記温度検知手段の検知温度が所定温度以上であり、人体検知手段により所定高さ未満の人体を検知するとトッププレートが高温のため危険であることを報知手段により報知する請求項２〜７のいずれか１項に記載の誘導加熱調理器。
【発明の詳細な説明】
【技術分野】
【０００１】
本発明は一般家庭で使用する誘導加熱調理器において、子供など調理を行うには危険が伴う使用者が誤って操作することを禁止することができる誘導加熱調理器に関するものである。
【背景技術】
【０００２】
従来、この種の誘導加熱調理器は使用者が操作の有効・無効を設定できるチャイルドロックキーを備え、意図せず操作されることを禁止するための機能を備えた誘導加熱調理器があった（例えば、特許文献１参照）。
【０００３】
以下、従来の誘導加熱調理器について説明する。図６（ａ）は従来の誘導加熱調理器を示す斜視図である。図６（ａ）において、１０１は商用電源をＯＮ／ＯＦＦする電源ＳＷであり、１０２は鍋などの被加熱物を載置するためのトッププレートであり、トッププレート１０２の下方に加熱コイル１０３が配置される。加熱コイル１０３に高周波電流を供給するインバーター、インバーター回路の出力を制御する制御手段を備え、各種スイッチ及び表示素子を備えた操作部１０４を備え、使用者により、各バーナーに対する加熱出力が競ってなされると制御手段は予め設定された加熱出力となるようにインバーター回路の出力を制御する。
【０００４】
また、図６（ｂ）は、従来の誘導加熱調理器の操作部・表示部１０４を示す図である。１０４ａは該当バーナーの加熱の開始・停止を操作するための切／入ＳＷであり、電源ＳＷ１０１がＯＮ状態において、１０４ａが押されると加熱を開始する。１０４ｂ、１０４ｃはアップＳＷ、ダウンＳＷであり、加熱する火力の上げ下げを操作することができる。１０４ｄはチャイルドロックＳＷであり、チャイルドロックＳＷ１０４ｄが押されると加熱入りの操作を無効とする。１０４ｅは表示部であり、切／入ＳＷ１０４ａが押されると、火力バー１０４ｆを表示し、アップＳＷ１０４ｂ、ダウンＳＷ１０４ｃの操作により現在の設定火力を表示する。１０４ｇはチャイルドロック状態を表示するチャイルドロック表示であり、このマークが表示されている状態はチャイルドロック状態を表し、加熱の開始を無効とする。
【特許文献１】特開２００５−２６８２０８号公報
【発明の開示】
【発明が解決しようとする課題】
【０００５】
しかしながら、前記従来の構成では、チャイルドロック機能を使用者が設定する必要があり、設定を忘れた場合など子供による誤操作が行われる可能性があるという課題を有していた。また、使用者（親）がキッチンにて調理を行っている最中に子供が親の元へ来た場合など親が目を話した隙に操作部を誤って触ってしまうことが想定されるという課題を有していた。
【０００６】
本発明は、前記従来の課題を解決するもので、人体の身長を検知し、身長が一定以下である場合に操作手段の操作を無効とする操作ロック手段を備えることで、使用者が毎回設定を行う必要なく子供の誤操作、いたずらを防止できる誘導加熱調理器を提供することを目的とする。
【課題を解決するための手段】
【０００７】
前記従来の課題を解決するために、本発明の加熱調理器は、外郭を構成する本体と、前記本体の上面に配置され調理容器を載置するトッププレートと、前記トッププレートの下
方に配置され前記調理容器を加熱する加熱コイルと、前記加熱コイルに高周波電流を供給するインバーター回路と、前記インバーター回路の出力を制御する制御手段と、前記インバーター回路の出力レベルを変更するための操作手段と、現在の出力レベルを表示する表示手段と、人体の身長を検知する身長検知手段と、前記身長検知手段の検知結果が所定値未満である場合に、前記操作手段の操作を無効とする操作ロック手段を備えたものである。
【０００８】
これによって、例えば使用者が調理中に子供がキッチンへ侵入し、使用者が目を離した時に子供が操作手段を操作しようとしても無効とすることができるため、事前にチャイルドロック機能を設定する必要なく安全な誘導加熱調理器を提供することができる。
【発明の効果】
【０００９】
本発明の誘導加熱調理器は、身長検知手段を備え、一定以下の身長の人による操作を受け付けないようにすることで、使用者が子供の目を離した隙に子供が操作手段を操作したとしても無効とすることができ、事前にチャイルドロック機能を設定するわずらわしさがなく自動的にチャイルドロック機能を実現できるため、安全な誘導加熱調理器を提供することができる。
【発明を実施するための最良の形態】
【００１０】
第１の発明は、外郭を構成する本体と、前記本体の上面に配置され調理容器を載置するトッププレートと、前記トッププレートの下方に配置され前記調理容器を加熱する加熱コイルと、前記加熱コイルに高周波電流を供給するインバーター回路と、前記インバーター回路の出力を制御する制御手段と、前記インバーター回路の出力レベルを変更するための操作手段と、現在の出力レベルを表示する表示手段と、人体の身長を検知する身長検知手段と、前記身長検知手段の検知結果が所定値未満である場合に、前記操作手段の操作を無効とする操作ロック手段を備えることにより、一定以下の身長の人による操作を受け付けないようにすることで、使用者が子供の目を離した隙に子供が操作手段を操作したとしても無効とすることができ、事前にチャイルドロック機能を設定するわずらわしさがない、安全な誘導加熱調理器を提供することができる。
【００１１】
第２の発明は、第１の発明の身長検知手段を本体前面に配置された赤外線センサにより構成し、床面から所定高さ以上の人体による赤外線により反応する構成とすることにより、所定高さ以上の人体を検知している間は操作を有効にし、所定高さ以上の人体を検知できない場合は操作を無効とすることで、１つの赤外線センサにより身長検知手段を構成することができるため比較的安価に自動チャイルドロック機能を実現することができる。
【００１２】
第３の発明は、第１に記載の発明の身長検知手段を床面に対して略垂直に配置され本体前面に配置された複数の赤外線センサにより構成し、床面からの所定高さ以上の人体による赤外線により反応する赤外線センサａと、床面からの所定高さ未満の人体による赤外線により反応する赤外線センサｂから構成することにより、所定高さ以上の人体が近づいた場合には赤外線センサａと赤外線センサｂの両方で人体を検知でき、所定高さ以上の人体が近づいている場合は操作を有効にすることができる。一方で、所定高さ未満の人体が接近した場合は、赤外線センサｂのみが人体を検知するため、所定高さ未満（子供）が近づいていることを認識することができるため、近づくだけで危険であることを報知することができ、リアルタイムに報知及び操作無効を行うことができ、安全な誘導加熱調理器を提供することができる。
【００１３】
第４の発明は、第１に記載の発明の身長検知手段を床面に対して略垂直に配置され本体前面に配置された複数の赤外線センサにより構成し、床面から数えて何個目までが人体による赤外線に反応しているかに応じて身長を検知する構成とすることにより、分解能をあ
げることで、検知する身長の精度をあげることができ、キッチンの高さによって検知する身長の設定を変更することができるため、さまざまなキッチンに応じた身長検知手段付誘導加熱調理器を設置することができる。
【００１４】
第５の発明は、第１〜４のいずれか１項に記載の発明の身長検知手段を複数備え、少なくとも誘導加熱調理器本体の左右に身長検知手段を備えることにより、誘導加熱調理器を設置するキッチンにより、入り口から誘導加熱調理器を見た際に左または右のどちらにある場合にも精度よく人体を検知し、身長を検知することができ、キッチンの構成によらず安全な誘導加熱調理器を設置することができる。
【００１５】
第６の発明は、第１〜５のいずれか１項に記載の発明の誘導加熱調理器に音声による報知手段を備え、身長が所定値未満の人体が近づき、操作手段が操作を検知すると身長が所定値に満たないため操作できない旨を音声により報知を行なうことにより、子供に操作できない旨を伝えると共に、使用者（親）に子供が操作していることを伝えることができる。
【００１６】
第７の発明は、第２〜６のいずれか１項に記載の発明の誘導加熱調理器は魚などを加熱調理するロースターを備え、前記ロースターを加熱中に身長検知手段により、所定高さ未満の人体を検知するとロースター扉が高温のため危険であることを報知手段により報知することで、子供が近づき誤ってロースター扉を触ってしまう前に、危険であることを報知することができるため、より安全な誘導加熱調理器を提供することができる。
【００１７】
第８の発明は、第２〜７のいずれか１項に記載の発明の誘導加熱調理器はトッププレートの温度を検知する温度検知手段を備え、前記温度検知手段の検知温度が所定温度以上であり、人体検知手段により所定高さ未満の人体を検知するとトッププレートが高温のため危険であることを報知手段により報知することで、子供が近づき誤ってトッププレートを触ってしまう前に、危険であることを報知することができるため、より安全な誘導加熱調理器を提供することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における誘導加熱調理器のブロック図を示すものである。
【００２０】
外郭を構成する本体１と前記本体１の上面に配置され調理容器２を載置するトッププレート３を有し、商用電源から供給された交流電源を直流に変換する整流回路を備えている。トッププレート３の下方に調理容器２を加熱するための加熱コイル４を備え、調理容器２を加熱する際に、インバーター回路５は整流回路により直流に変換された電源から高周波電流を加熱コイル４に供給する。加熱コイル４に高周波電流が供給されると交番磁界が発生し、加熱コイル４の上方に配置された金属製の調理容器２の底面に渦電流を発生させ、渦電流によるジュール熱を利用し調理容器２を加熱することができる。
【００２１】
制御手段６は操作・表示手段７により使用者が設定した火力に応じて、インバーター回路５の出力を制御する。本実施の形態の制御手段６はマイコンにて構成する。
【００２２】
制御手段６は加熱コイル４の略中央に配置されたサーミスタにより構成された温度検知手段８により検知された温度に応じてインバーター回路の出力を制御する。
【００２３】
なお、本実施の形態では温度検知手段８をサーミスタにより構成するとしたが、白金センサや赤外線センサなどの温度検知素子を使用してもよい。
【００２４】
制御手段６はマイコン上のＲＯＭやＲＡＭまたは回路上のＥＥＰＲＯＭなどにより構成された記憶手段９を備える。記憶手段９は各火力設定に応じたインバーター回路５の制御パラメータを保存している。
【００２５】
制御手段６は計時手段１０により計時された時間を用い加熱開始後一定時間操作手段のキー操作がない場合に切り忘れと判断し、加熱をＯＦＦする機能などを備える。
【００２６】
報知手段１１は操作・表示手段７によりキーが押された場合の確認音や、タイマー機能により調理を行っている場合にタイマー終了時間になると加熱を停止し、タイマーが終了した旨の報知を行う。
【００２７】
身長検知手段１２は本体前面に取り付けられた人体から発される赤外線を検知し出力を出す赤外線センサ１３の出力により、人体が近づいたかどうかを検知することができる。
【００２８】
なお、本実施の形態では赤外線センサ１３を受動型の赤外線センサを使用し、人体から発せられる赤外線の変化により、人体の有無を出力するセンサを使用するとするが、赤外線を発する赤外ＬＥＤと赤外線を受光する受光素子の組み合わせによるアクティブセンサにより構成してもよい。
【００２９】
次に、図２を用い操作・表示手段７の説明を行う。図２（ａ）は表示素子が表示できる素子をすべて点灯した状態の操作・表示手段７の図である。表示手段７ｇはＬＣＤ表示素子にて構成し、設定火力に応じピクトにより火力を表示すると共に、タイマー設定時には残り時間を表示する。
【００３０】
図２（ｂ）は加熱開始前の操作・表示手段７の図であり、設定火力を表すピクトを表示しない。また、図２（ｃ）は最大火力で加熱中の操作・表示手段７の図であり、図２（ｄ）は火力５で加熱中の操作・表示手段７の図であり、設定火力５までピクトを表示する。
【００３１】
切／入ＳＷ７ａが押されると制御手段６はインバーター回路５の出力を制御し、設定火力５にて加熱を開始する。また、加熱中に切／入ＳＷ７ａが押されると制御手段６はインバーター回路の出力をオフし、加熱を停止する。
【００３２】
加熱中にアップＳＷ７ｂが押されると操作・表示手段７は現在の火力を１ランク上げた表示に変更する。例えば、火力５にて加熱中であれば火力６までピクトを表示する。火力設定が１ランク上げられると制御手段６はインバーター回路の出力を１ランク上げる。
【００３３】
また、加熱中にダウンＳＷ７ｃが押されると操作・表示手段７は現在の火力を１ランク下げた表示に変更する。例えば、火力５にて加熱中であれば火力４までピクトを表示する。火力設定が１ランク下げられると制御手段６はインバーター回路の出力を１ランク下げる。
【００３４】
加熱中、加熱停止時にかかわらず、タイマーが設定されていない状態でタイマーアップＳＷ７ｄが押されると操作・表示手段７は時間表示を行い、タイマー設定モードへ移行する。さらにタイマーアップＳＷ７ｄが押されると表示しているタイマー時間をインクリメントする。また、タイマー設定モード時にタイマーダウンＳＷ７ｅが押されると表示されている時間をデクリメントする。タイマー設定モードを解除するには取り消しＳＷ７ｆを押すことで解除することができる。
【００３５】
タイマー設定モード時且つ加熱中はタイマーアップＳＷ７ｄ及びタイマーダウンＳＷ７ｅが離されてからタイマーカウントダウンを開始し、残時間が０になると加熱を停止する。加熱停止中にタイマー設定モードに入った場合は、加熱開始後からタイマーカウントダウンを開始し、残時間が０になると上記同様加熱を停止する。
【００３６】
次に、図３を用い、本実施の形態における赤外線センサについて説明する。図３（ａ）の点線で囲まれたエリアは赤外線センサ１３が人体を検知することができる検知可能エリア１５である。本実施の形態では赤外線センサ１３に焦電素子を用いたパッシブ型の赤外線センサを用いる。検知可能エリア１５内の背景から得られる赤外線に対し、検知可能エリア１５内に人体が進入すると人体から発せられる赤外線により、背景と差が生じ人体を検知することができる。
【００３７】
なお、人体が検知可能エリア１５内で、完全に停止している場合は赤外線の差分を得ることができないため人体を検知することはできないが、一般的に使用者が調理中の場合、使用者は動作しているため問題とならない。
【００３８】
図３（ｂ）は本実施の形態における赤外線センサ１３であり、赤外線の透過率が低い部材で構成された遮光板１６を垂直方向下方に取り付けている。これにより検知可能エリア１５は下方が遮られた状態となる。図３（ｃ）は本体１に取り付けた状態を表し、本体１を設置する調理台１７の下面（床面）から検知可能エリア１５までの高さｈ（本実施の形態では１００ｃｍ）が身長検知手段１２により人体を検知できるかどうかの閾値となる。高さｈより身長が低い人体が近づいても身長検知手段１２は人体を検知することができない。また、高さｈより身長が高い人体が近づいた場合は身長検知手段１２は人体を検知し、使用者が近づいたことを検知する。
【００３９】
操作ロック手段１４は身長検知手段１２の検知結果がない場合（高さｈより身長が高い人体が接近していない場合）に操作・表示手段７によりキー操作が行われたとしてもこれを無効とする。
【００４０】
なお、操作ロック手段１４は身長検知手段１２により人体を検知している場合には、操作・表示手段７によりキー動作が行われるとその操作を有効とし、制御手段６は所定の制御を行う。
【００４１】
なお、本実施の形態では高さｈを１００ｃｍとしたが、これに限られるものではなく遮光板の取り付け方向により調整することができる。
【００４２】
なお、本実施の形態では操作ロック手段１４は身長検知手段１２の検知結果がない場合に操作・表示手段７によりキー操作が行われたとしてもこれを無効とするとしたが、加熱中の場合に加熱切／入ＳＷ７ａが押された場合には加熱をＯＦＦできるようにすることで、誤検知した場合に加熱がＯＦＦできず不安全になることを避けることができる。
【００４３】
これにより、一定以下の身長の人による操作を受け付けないようにすることができ、使用者が子供の目を離した隙に子供が操作手段を操作したとしても無効とすることができ、事前にチャイルドロック機能を設定するわずらわしさがない、安全な誘導加熱調理器を提供することができる。
【００４４】
（実施の形態２）
次に、実施の形態２について説明する。なお、実施の形態１と同じ構成物・動作については説明を省略する。
【００４５】
図４（ａ）を用い、複数の赤外線センサ１３による身長検知手段１２について説明する。赤外線センサａ１３ａと赤外線センサｂ１３ｂの間に赤外線の透過率が低い部材で構成された遮光板１６を設置する。これにより、赤外線センサａ１３ａの検知可能エリア１５ａと赤外線センサｂ１３ｂの検知可能エリア１５ｂを高さｈ（本実施の形態では１００ｃｍとする）で分けることができる。
【００４６】
図４（ｂ）は各赤外線センサの検知結果に応じた操作ロック手段１４による操作ロック状態を表す表である。赤外線センサａ１３ａと赤外線センサｂ１３ｂが共に人体を検知していない場合は身長検知手段１２は人体なしと判断し、操作ロック手段１４は操作・表示部７による操作を無効とする。
【００４７】
赤外線センサａ１３ａが人体を検知せず、赤外線センサｂ１３ｂが人体を検知した場合は身長検知手段１２は高さｈ以下の人体を検知し、子供であると判断し、操作ロック手段１４は操作・表示部７による操作を無効とする。
【００４８】
また、子供であると判断し、操作ロック手段により、操作・表示部７の操作を無効にした場合は、音声を報知する報知手段１１により、「子供のため操作することができません」と音声による報知を行う。
【００４９】
なお、本実施の形態では報知音声を「子供のため操作することができません」としたが、意味が通じればこれに限られるものではない。
【００５０】
赤外線センサａ１３ａが人体を検知し、赤外線センサｂ１３ｂが人体を検知しなかった場合は身長検知手段１２は高さｈ以上の人体を検知し、大人であると判断し、操作ロック手段１４は操作・表示部７による操作を有効とする。
【００５１】
なお、本実施の形態では赤外線センサａ１３ａが人体を検知し、赤外線センサｂ１３ｂが人体を検知しなかった場合は大人であると判断するとしたが、高いところだけに人体の移動が現れることは下半身の移動がない場合などに考えられるが、複数回確認し、赤外線センサｂ１３ｂでも人体を検知した場合に操作・表示部７の操作を有効にするようにしてもよい。
【００５２】
赤外線センサａ１３ａと赤外線センサｂ１３ｂが共に人体を検知した場合は身長検知手段１２は高さｈ以上の人体を検知し、大人であると判断し、操作ロック手段１４は操作・表示部７による操作を有効とする。
【００５３】
また、温度検知手段８により、トッププレートが高温（本実施の形態では６０℃とする）になっている状態で、身長検知手段１２が高さｈ以下の子供を検知した場合は、「トッププレートが高温のため近づかないでください」と報知手段１１により音声による報知を行う。
【００５４】
なお、本実施の形態では報知音声を「トッププレートが高温のため近づかないでください」としたが、意味が通じればこれに限られるものではない。
【００５５】
（実施の形態３）
次に、実施の形態３における動作について説明する。なお、実施の形態１〜２と同じ構成物・動作については説明を省略する。
【００５６】
図５（ａ）は本実施の形態における誘導加熱調理器の図である。魚などを加熱調理する
ロースター１８を備えている。ロースターの庫内は調理中約３００℃まで達し、ロースター扉は耐熱性ガラスで構成されているが、触るとやけどするぐらいまで高温に達する。
【００５７】
よって、子供が近づき手を触れるとやけどのおそれがある。１３Ａ、１３Ｂは実施の形態２で説明した赤外線センサａと赤外線センサｂを組み合わせたものであり、赤外線センサＡ１３Ａと赤外線センサＢ１３Ｂはそれぞれ図４（ｂ）の表のように子供および大人と人体を検知することができる。
【００５８】
図５（ｂ）は本実施の形態における誘導加熱調理器の赤外線センサＡ１３Ａと赤外線センサＢ１３Ｂの水平方向の検知範囲の広がりを示す図である。検知可能範囲１５Ａは赤外線センサＡの検知範囲であり、検知可能範囲１５Ｂは赤外線センサＢの検知範囲である。
【００５９】
一般に誘導加熱調理器を設置されるキッチンは誘導加熱調理器の右に壁があるか、左に壁がある場合が多い、赤外線センサ１３を誘導加熱調理器の左右に配置すれば、すべてのキッチンへ対応可能となる。
【００６０】
身長検知手段１２は、赤外線センサＡ１３Ａと赤外線センサＢ１３Ｂのそれぞれの出力結果からおのおの子供を検知しているか、大人を検知しているかを認識し、Ａ、ＢのＯＲをとり、いずれか一方が子供を検知している場合は実施の形態２と同じように操作ロック手段１４は操作・表示部７による操作を無効とする。
【００６１】
また、子供であると判断し、操作ロック手段１４により、操作・表示部７の操作を無効にした場合は、音声を報知する報知手段１１により、「子供のため操作することができません」と音声による報知を行う。
【００６２】
また、ロースターによる調理中であり、庫内が高温になっている状態で、身長検知手段１２が高さｈ以下の子供を検知した場合は、「ロースターが高温のため近づかないでください」と報知手段１１により音声による報知を行う。
【００６３】
なお、本実施の形態では報知音声を「ロースターが高温のため近づかないでください」としたが、意味が通じればこれに限られるものではない。
【００６４】
以上のように、身長検知手段により子供か大人を判別し、子供を検知した場合は操作を無効とすることや、危険な温度となっている部位が存在する場合はその旨を報知することで、安全に調理を行うことができる誘導加熱調理器を提供することができる。
【産業上の利用可能性】
【００６５】
以上のように、本発明にかかる誘導加熱調理器は、身長検知手段により子供か大人を判別し、子供を検知した場合は操作を無効とすることや、報知することで、安全な調理器を提供することができるため、その他の加熱調理器等の用途にも適用できる。
【図面の簡単な説明】
【００６６】
【図１】本発明の実施の形態１における誘導加熱調理器を示すブロック図
【図２】本発明の実施の形態１における誘導加熱調理器の操作部・表示部を示す図
【図３】本発明の実施の形態１における赤外線センサと取り付け位置を示す図
【図４】本発明の実施の形態２における赤外線センサと身長検知手段検知と操作ロック手段の動作を示す図
【図５】本発明の実施の形態３における誘導加熱調理器と赤外線センサ取り付け位置を示す図
【図６】従来の誘導加熱調理器を示す斜視図と、誘導加熱調理器の操作部・表示部を示す図
【符号の説明】
【００６７】
１  本体
２  調理容器
３  トッププレート
４  加熱コイル
５  インバーター回路
６  制御手段
７  操作・表示手段
８  温度検知手段
１１  報知手段
１２  身長検知手段
１３  赤外線センサ
１４  操作ロック手段
１８  ロースター
【図１】
2010113973.tif 000003
【図２】
2010113973.tif 000004
【図３】
2010113973.tif 000005
【図４】
2010113973.tif 000006
【図５】
2010113973.tif 000007
【図６】
2010113973.tif 000008